(57)【特許請求の範囲】
【請求項１】
光ファイバを伝送路とし、該伝送路の一端に接続される第１の光伝送装置と、前記伝送路の他端に接続される第２の光伝送装置とを有し、前記第１、第２の光伝送装置は、それぞれメタリックケーブルを介してＬＡＮ機器に接続されると共に、前記伝送路を介して前記第１の光伝送装置と第２の光伝送装置との間で通信を行う光伝送システムにおいて、
前記第１、第２の光伝送装置は、それぞれ、ＬＡＮ機器側とのインターフェースを行うＬＡＮインターフェース部と、前記伝送路側とのインターフェースを行う光インターフェース部とを有し、該光インターフェース部はＬＡＮインターフェース部がリンクフェイル（動作状態を非活性化した状態）である場合にＬＡＮインターフェース部がリンクフェイルであることを対向する機器にエラー信号を送信することにより通知すると共に、前記エラー信号を受信した側の光伝送装置の光インターフェース部が、前記エラー信号が相手側の光伝送装置より送信されるのが停止された時点でリンクパス（動作状態を活性化した状態）となり、
前記エラー信号を受信した側の光伝送装置では、該光伝送装置の光インターフェース部がリンクパスとなった状態を示す情報を、前記エラー信号が相手側の光伝送装置より送信されるのが停止された時点から所定時間、遅延させて前記光インターフェース部内のエラー信号を送信機能部に通知することを特徴とする光伝送システム。
【請求項２】
光ファイバを伝送路とし、該伝送路の一端に接続される第１の光伝送装置と、前記伝送路の他端に接続される第２の光伝送装置とを有し、前記第１、第２の光伝送装置は、それぞれメタリックケーブルを介してＬＡＮ機器に接続されると共に、前記伝送路を介して前記第１の光伝送装置と第２の光伝送装置との間で通信を行う光伝送システムの光伝送装置において、
前記第１、第２の光伝送装置は、それぞれ、ＬＡＮ機器側とのインターフェースを行うＬＡＮインターフェース部と、
前記伝送路側とのインターフェースを行う光インターフェース部と、
前記伝送路側及びメタリックケーブル側のリンク状態をモニタし、該リンク状態に応じて前記ＬＡＮインターフェース部及び光インターフェース部のいずれか一方または双方の動作状態を非活性化した状態であるリンクフェイル、または前記動作状態を活性化した状態であるリンクパスとなるように制御する制御手段とを有し、
前記制御手段の制御下に、前記光インターフェース部は、ＬＡＮインターフェース部がリンクフェイルである場合にＬＡＮインターフェース部がリンクフェイルであることを対向する機器にエラー信号を送信することにより通知すると共に、前記エラー信号を受信した側の光伝送装置の光インターフェース部は、前記エラー信号が相手側の光伝送装置より送信されるのが停止された時点でリンクパスとなり、
前記エラー信号を受信した側の光伝送装置における前記制御手段は、該エラー信号を受信した側の光伝送装置における光インターフェース部がリンクパスとなった状態を示す情報を、前記エラー信号が相手側の光伝送装置より送信されるのが停止された時点から所定時間、遅延させて前記エラー信号を受信した光伝送装置における光インターフェース部内のエラー信号を送信する機能部に通知することを特徴とする光伝送システムの光伝送装置。
【発明の詳細な説明】
【０００１】
【発明の属する技術分野】
本発明は、１本の光ファイバ伝送路として用い、該伝送路を介して一心双方向通信を行う光伝送システム及び光伝送装置に関する。
【０００２】
【従来の技術】
この種の光伝送システム及び光伝送装置は、プライベート光ネットワークを有する大規模事業所や地方自治体等でＷＡＮ（Wide Area Network）を用いずに長距離ＬＡＮ（Local Area Network）間接続を行う際に用いられている。
【０００３】
【発明が解決しようとする課題】
伝送路として一本の光ファイバを用い、遠く離れた２つのＬＡＮ機器を接続する２つの光伝送装置間において一心双方向通信を実現するためには、伝送路の片側に接続される光伝送装置での光インターフェース部のリンク状態を、上記伝送路の他端に接続された光伝送装置及び該光伝送装置のＬＡＮインターフェースに接続されたＬＡＮ機器のリンク状態より知ることができるリンク状態通知機能が必要となる。
【０００４】
ここで光伝送装置におけるＬＡＮインターフェース部の動作状態を非活性化した場合、すなわちリンクフェイルとした場合に、光インターフェース部よりエラー信号、換言すると、対向する光伝送装置における光インターフェース部が受信エラーと認識し得る信号を送信することにより上記リンク状態通知機能を実現することができる。なお、本明細書ではＬＡＮインターフェース部、ＬＡＮインターフェース部に接続されるＬＡＮ機器、光インターフェース部のいずれかの動作状態が非活性化された状態をリンクフェイルと定義し、これらのいずれかの動作状態が活性化された状態をリンクパスと定義するものとする。
【０００５】
ところが、従来のこの種の光伝送システムにあっては、ＬＡＮインターフェースがリンクフェイルとなった場合に光インターフェース部は、ＬＡＮインターフェースがリンクフェイルで、かつ光インターフェース部がリンクパスであることを条件に伝送路上で対向する光伝送装置に対してエラー信号を送出するようにしている。したがって、光ファイバケーブルあるいは、メタリックケーブルに障害が発生した後に復旧した際に、いずれか一方の光伝送装置における光インターフェース部がリンクパスになるタイミングが、ＬＡＮインターフェース部がリンクパスになるタイミングより早いと、伝送路上で対向する光伝送装置間でエラー信号を相互に送信することとなり、リンク状態を復旧することができず、通信を再開することができない場合が生じる、という問題があった。
【０００６】
本発明はこのような事情に鑑みてなされたものであり、１本の光ファイバを伝送路として用い、該伝送路を介して接続される２つの光伝送装置を有し、一心双方向通信を行う光伝送システムにおいて、上記伝送路または、各光伝送装置に接続されるＬＡＮ機器との間に接続される伝送路に障害が発生した後に障害が取り除かれ、復旧した際に上記２つの光伝送装置間におけるリンク状態を確実に復旧することができる光伝送システム及び光伝送装置を提供することを目的とする。
【０００７】
【課題を解決するための手段】
上記目的を達成するために、請求項１に記載の発明は、光ファイバを伝送路とし、該伝送路の一端に接続される第１の光伝送装置と、前記伝送路の他端に接続される第２の光伝送装置とを有し、前記第１、第２の光伝送装置は、それぞれメタリックケーブルを介してＬＡＮ機器に接続されると共に、前記伝送路を介して前記第１の光伝送装置と第２の光伝送装置との間で通信を行う光伝送システムにおいて、前記第１、第２の光伝送装置は、それぞれ、ＬＡＮ機器側とのインターフェースを行うＬＡＮインターフェース部と、前記伝送路側とのインターフェースを行う光インターフェース部とを有し、該光インターフェース部はＬＡＮインターフェース部がリンクフェイル（動作状態を非活性化した状態）である場合にＬＡＮインターフェース部がリンクフェイルであることを対向する機器にエラー信号を送信することにより通知すると共に、前記エラー信号を受信した側の光伝送装置の光インターフェース部が、前記エラー信号が相手側の光伝送装置より送信されるのが停止された時点でリンクパス（動作状態を活性化した状態）となり、前記エラー信号を受信した側の光伝送装置では、該光伝送装置の光インターフェース部がリンクパスとなった状態を示す情報を、知前記エラー信号が相手側の光伝送装置より送信されるのが停止された時点から所定時間、遅延させて前記光インターフェース部内のエラー信号を送信する機能部に通知することを特徴とする。
【０００８】
なお、請求項１に記載の光伝送システムでは、前記所定時間は、前記エラー信号を受信した側の光伝送装置において、光インターフェース部がリンクパスとなる時点とＬＡＮインターフェース部がリンクパスとなる時点との時間差より長い時間に設定される。
【０００９】
また請求項２に記載の発明は、光ファイバを伝送路とし、該伝送路の一端に接続される第１の光伝送装置と、前記伝送路の他端に接続される第２の光伝送装置とを有し、前記第１、第２の光伝送装置は、それぞれメタリックケーブルを介してＬＡＮ機器に接続されると共に、前記伝送路を介して前記第１の光伝送装置と第２の光伝送装置との間で通信を行う光伝送システムの光伝送装置において、前記第１、第２の光伝送装置は、それぞれ、ＬＡＮ機器側とのインターフェースを行うＬＡＮインターフェース部と、前記伝送路側とのインターフェースを行う光インターフェース部と、前記伝送路側及びメタリックケーブル側のリンク状態をモニタし、該リンク状態に応じて前記ＬＡＮインターフェース部及び光インターフェース部のいずれか一方または双方の動作状態を非活性化した状態であるリンクフェイル、または前記動作状態を活性化した状態であるリンクパスとなるように制御する制御手段とを有し、前記制御手段の制御下に、前記光インターフェース部は、ＬＡＮインターフェース部がリンクフェイルである場合にＬＡＮインターフェース部がリンクフェイルであることを対向する機器にエラー信号を送信することにより通知すると共に、前記エラー信号を受信した側の光伝送装置の光インターフェース部は、前記エラー信号が相手側の光伝送装置より送信されるのが停止された時点でリンクパスとなり、前記エラー信号を受信した側の光伝送装置における前記制御手段は、該エラー信号を受信した側の光伝送装置における光インターフェース部がリンクパスとなった状態を示す情報を、前記エラー信号が相手側の光伝送装置より送信されるのが停止された時点から所定時間、遅延させて前記エラー信号を受信した側の光伝送装置における光インターフェース部内のエラー信号を送信する機能部に通知することを特徴とする。
【００１０】
なお、請求項２に記載の光伝送システムの光伝送装置において、前記所定時間は、前記エラー信号を受信した側の光伝送装置において、光インターフェース部がリンクパスとなる時点とＬＡＮインターフェース部がリンクパスとなる時点との時間差より長い時間に設定される。
【００１１】
請求項１に記載の光伝送システムによれば、エラー信号を受信した側の光伝送装置では、該光伝送装置の光インターフェース部がリンクパスとなった状態を示す情報を、前記エラー信号が相手側の光伝送装置より送信されるのが停止された時点から、前記エラー信号を受信する側の光伝送装置において光インターフェース部がリンクパスとなる時点とＬＡＮインターフェース部がリンクパスとなる時点との時間差より長い時間だけ、遅延させて前記光インターフェース部内のエラー信号を送信する機能部に通知するようにしたので、１本の光ファイバを伝送路として用い、該伝送路を介して接続される２つの光伝送装置を有し、一心双方向通信を行う光伝送システムにおいて、上記伝送路または、各光伝送装置に接続されるＬＡＮ機器との間に接続される伝送路に障害が発生した後に障害が取り除かれ、復旧した際に上記２つの光伝送装置間におけるリンク状態を確実に復旧することができる。
【００１２】
請求項２に記載の光伝送システムの光伝送装置によれば、エラー信号を受信した側の光伝送装置では、該光伝送装置の光インターフェース部がリンクパスとなった状態を示す情報を、前記エラー信号が相手側の光伝送装置より送信されるのが停止された時点から、前記エラー信号を受信した側の光伝送装置において光インターフェース部がリンクパスとなる時点とＬＡＮインターフェース部がリンクパスとなる時点との時間差より長い時間だけ、遅延させて前記光インターフェース部内のエラー信号を送信する機能部に通知するようにしたので、１本の光ファイバを伝送路として用い、該伝送路を介して接続される２つの光伝送装置を有し、一心双方向通信を行う光伝送システムの光伝送装置において、上記伝送路または、各光伝送装置に接続されるＬＡＮ機器との間に接続される伝送路に障害が発生した後、障害が取り除かれ、復旧した際に上記２つの光伝送装置間におけるリンク状態を確実に復旧することができる。
【００１３】
【発明の実施の形態】
以下、本発明の実施の形態を図面を参照して詳細に説明する。本発明の実施の形態に係る光伝送システムの構成を図１に示す。同図において、光伝送システムは、光伝送装置１０、１２と、一心の光ファイバケーブル１４とを有している。本発明の実施の形態に係る光伝送システムは、例えば、イーサネット型のＬＡＮ（Local Area Network）に適用されるものであり、光伝送装置１０、１２は、それぞれ、メタリックケーブル１６、１８を介してＬＡＮ機器としてのブリッジ２０、２２に接続されている。
【００１４】
光ファイバケーブル１４は、例えば、波長１．３μｍ帯の光信号を伝送する際に分散が零になる単一モード光ファイバであり、数十ｋｍの線路長を有している。メタリックケーブル１６、１８は、例えば、より対線である。光伝送装置１０は、ブリッジ２０、メタリックケーブル１６を介して入力される電気信号を１．３μｍの光信号に変換し光ファイバケーブル１４に出力すると共に、光伝送装置１２より光ファイバケーブル１４を介して入力される光信号を電気信号に変換してメタリックケーブル１６を介してブリッジ２０に出力する。
【００１５】
また光伝送装置１２は、ブリッジ２２、メタリックケーブル１８を介して入力される電気信号を例えば、１．５５μｍの光信号に変換し光ファイバケーブル１４に出力すると共に、光伝送装置１０より光ファイバケーブル１４を介して入力される光信号を電気信号に変換してメタリックケーブル１８を介してブリッジ２２に出力する。光伝送装置１０では光信号を発生する光源として、例えば、波長１．３μｍ帯の光を発振するファブリペロレーザダイオードを用いており、光伝送装置１２では光信号を発生する光源として、例えば、波長１．５５μｍ帯の光を発振する分布帰還レーザダイオードを用いている。
上記構成により光伝送装置１０と光伝送装置１２との間で一心双方向の光通信が行われる。尚、光伝送装置１０、１２は基本的に構成は同一であり、光源に使用されるレーザダイオードが異なるだけである。
【００１６】
次に光伝送装置の概略構成を図２に示す。光伝送装置１０、１２は構成、機能が同一であるので、ここでは光伝送装置１０について説明することとする。なお、図２では本発明に直接、関係する部分のみを概略的に示し、その他の具体的構成は省略してある。同図において、光伝送装置１０は、ＬＡＮ機器側とのインターフェースを行うＬＡＮインターフェース部１００と、光ファイバケーブル１４側とのインターフェースを行う光インターフェース部１１０と、光ファイバケーブル１４側及びメタリックケーブル１６側のリンク状態をモニタし、該リンク状態に応じてＬＡＮインターフェース部１００及び光インターフェース部１１０のいずれか一方または双方の動作状態を非活性化した状態であるリンクフェイル、または前記動作状態を活性化した状態であるリンクパスとなるように制御する制御部１２０とを有している。ここで制御部１２０は、本発明の制御手段に相当する。
【００１７】
また１３０はメタリックケーブル１６とＬＡＮインターフェース部１００側とを接続するＲＪ４５コネクタ、１３２は光ファイバケーブル１４とを接続するＳＣコネクタである。ＬＡＮインターフェース部１００は、送信回路１０２と、受信回路１０４とを有し、光インターフェース部１１０は送信回路１１２と、受信回路１１４とを有している。光インターフェース部１１０の送信回路は、所定の条件下で相手側の光伝送装置にエラー信号を送信する機能を有しており、本発明のエラー信号を送信する機能部に相当する。
【００１８】
（ａ）光インターフェース部１１０がリンクフェイルした時の動作
１． 光ファイバケーブルに障害が発生し、光インターフェース部１１０がリンクフェイルした時は以下のように動作する。すなわち、制御部１２０は、ＬＡＮインターフェース部１００への電源供給を停止し、送受信動作（アイドル信号の出力を含む）を不能にする。その結果、ＬＡＮインターフェース部１００はリンクフェイルとなる。
２． 次いで制御部１２０は、光インターフェース部１１０より光ファイバケーブル１４にアイドル信号を送信させる。
【００１９】
光ファイバケーブル１４に障害が発生した場合、光ファイバケーブル１４を介して対向する２台の光伝送装置１０，１２が同時に上記１、２の動作を行なうために各光伝送装置１０，１２及び、各光伝送装置１０，１２のＬＡＮインターフェース部に接続されたＬＡＮ機器としてのブリッジ２０，２２のリンク状態は図３に示すようになる。すなわち、光伝送装置１０、１２における各ＬＡＮインターフェース部及び光インターフェース部はリンクフェイルになり、かつ光伝送装置１０、１２の各ＬＡＮインターフェース部に接続されるブリッジ２０，２２もリンクフェイルとなる。
【００２０】
（ｂ）ＬＡＮインターフェース部がリンクフェイルした時の動作
メタリックケーブル１６に障害が発生し、ＬＡＮインターフェース部１００がリンクフェイルした時は、以下のよう動作する。
１． 制御部１２０は、光インターフェース部１１０より光ファイバケーブル１４を介して対向する光伝送装置１２にエラー信号を送信することにより、ＬＡＮインターフェース部１００がリンクフェイルした状態を通知する。その結果、対向する光伝送装置１２は、光伝送装置１２における光インターフェース部がリンクフェイルであると判断し、（ａ）の「光インターフェース部がリンクフェイルした時の動作」を行う。
２． 次いでＬＡＮインターフェース部１００からブリッジ２０にアイドル信号を送信する。
【００２１】
ここで各光伝送装置において、エラー信号を送信する条件は、「ＬＡＮインターフェース部がリンクフェイルで、かつ光インターフェース部がリンクパスでなければならない」ことに留意する必要がある。
以上の動作により、メタリックケーブル１６に障害が発生した場合には各光伝送装置１０，１２及び、各光伝送装置１０，１２に接続されたブリッジ２０，２２のリンク状態は図４に示すようになる。すなわち、光伝送装置１０、１２における各ＬＡＮインターフェース部及び光伝送装置１２における光インターフェース部はリンクフェイルになり、かつ光伝送装置１０における光インターフェース部はリンクパスとなると共に、光伝送装置１０、１２の各ＬＡＮインターフェース部に接続されるＬＡＮ機器としてのブリッジ２０，２２はリンクフェイルとなる。
【００２２】
以上の動作を行なうことにより各光伝送装置にリンク状態通知機能を持たせることができる。しかしながら、この機能をそのまま用いると、例えば、光ファイバケーブル１４に発生した障害が何らかの方法で復旧した場合には、光伝送装置において光インターフェース部がリンクパスになったと同時にＬＡＮインターフェース部の送受信動作がイネーブル状態となり、ＬＡＮインターフェース部はリンクパスとなる。この時、光インターフェース部がリンクパスになるタイミングが、ＬＡＮインターフェース部がリンクパスになるタイミングより早い場合、上述した「エラー信号を送信する条件」が成立してしまい、リンク状態を復旧することができず、通信を再開することができない。
【００２３】
またメタリックケーブル１６または１８に発生した障害が何らかの方法で復旧し、光伝送装置１０（または１２）におけるＬＡＮインターフェース部がリンクパスになった場合にも同じ問題が生じる。すなわち、光伝送装置１０（または１２）においてＬＡＮインターフェース部がリンクパスになると、光インターフェース部は対向する光伝送装置に対するエラー信号の送信を停止する。するとエラー信号の受信側であった対向する光伝送装置の光インターフェース部はリンクパスとなり、次いでこの対向する光伝送装置におけるＬＡＮインターフェース部がリンクパスとなる。この時光インターフェース部がリンクパスになるタイミングがＬＡＮインターフェース部がリンクパスになるタイミングより早い場合、上述した「エラー信号を送信する条件」が成立してしまい、リンク状態を復旧することができず、通信を再開することができない。
【００２４】
本発明では、エラー信号を受信した側の光伝送装置、例えば光伝送装置１０において、制御部１２０が、エラー信号を受信した側の光伝送装置１０における光インターフェース部１１０がリンクパスとなった状態を示す情報を、上記エラー信号が相手側の光伝送装置より送信されるのが停止された時点から所定時間、光インターフェース部１１０遅延させて光インターフェース部１１０内の送信回路１１２に通知することにより、上記問題の解決を図っている。
【００２５】
すなわち、このようにエラー信号を受信した側の光伝送装置における光インターフェース部がリンクパスとなった状態を示す情報を、所定時間、遅延させて光インターフェース部内のエラー信号を送信する機能を有する送信回路に通知することにより、上記送信回路において光インターフェース部がリンクパスとなった状態を認識した時には、必ずＬＡＮインターフェース部はリンクパスとなっており、その結果、上述した「エラー信号を送信する条件」は成立しないので、全てのリンクが復旧し、通信可能な状態となる。
【００２６】
本実施の形態に係る光伝送システムにおいて光伝送装置１０とブリッジ２０との間に接続されメタリックケーブル１６に発生した障害が復旧した場合の動作を図５及び図６を参照して説明する。図５は、エラー信号を受信した光伝送装置１２において、光インターフェース部がリンクパスとなった状態を示す情報を、遅延させることなく光インターフェース部内の送信回路に通知する場合の光伝送しの各部の動作を示し、図６は、エラー信号を受信した光伝送装置１２において、光インターフェース部がリンクパスとなった状態を示す情報を、ラー信号が相手側の光伝送装置より送信されるのが停止された時点から所定時間ｔｄだけ遅延させて光インターフェース部内の送信回路に通知する場合の光伝送システムの各部の動作を示している。
【００２７】
図５に示すように、時刻ｔ１でメタリックケーブル１６に発生した障害が復旧した際に光伝送装置１０におけるＬＡＮインターフェース部のリンク状態はリンクパスとなり、この時点でこれまで光伝送装置１０の光インターフェース部より光伝送装置１２に対して送信されていたエラー信号の送信が停止される。
【００２８】
一方、光伝送装置１２では、これまで受信していたエラー信号の送信が停止されるので、光伝送装置１２の光インターフェース部はリンクパスとなるが、ＬＡＮインターフェース部はこの時点から時間ｔOL後にリンクパス状態となるので、この時点では光伝送装置１２のＬＡＮインターフェース部はリンクフェイル状態にある。したがって、光伝送装置１２のＬＡＮインターフェース部の送信回路において、エラー信号を送信する条件が成立し、時刻ｔ２でエラー信号の送信が開始される。
【００２９】
時刻ｔ３で光伝送装置１２からエラー信号を受信した光伝送装置１０の光インターフェース部では光インターフェース部のリンク状態がリンクフェイルとなり、その後時刻ｔ５でＬＡＮインターフェース部もリンクフェイルとなる。
【００３０】
また光伝送装置１２では時刻ｔ２から時間ｔOLが経過した時刻ｔ４でＬＡＮインターフェース部のリンク状態がリンクパスとなるので、光伝送装置１２の光インターフェース部から光伝送装置１０に対して送信されていたエラー信号の送信が停止される。この結果、時刻ｔ６で光伝送装置１０では光インターフェース部のリンク状態が再び、リンクパスとなり、ＬＡＮインターフェース部はリンクフェイルのままであるので、光インターフェース部においてエラー信号を送信する条件が成立し、この時点で光伝送装置１０より光伝送装置１２に対してエラー信号が送信される。
【００３１】
このように交互に２台の光伝送装置１０、１２間でエラー信号を送信するような動作を繰り返すためにリンク状態を復旧することができない。
これに対して図６に示すように、光伝送装置１０のＬＡＮインターフェース部ばリンクパスとなった時点ｔ１１で送信されたエラー信号を受信した光伝送装置１２で制御部により光インターフェース部がリンク状態になった時刻ｔ１２から所定時間ｔｄだけ遅延させた時点ｔ１４で、光インターフェース部内のエラー信号を送信する機能を有する送信回路に光インターフェース部がリンクパス状態になったことを示す情報を通知することにより光伝送装置１２より光伝送装置１０に対してエラー信号が送信される状態を回避でき、すべてのリンク状態を復旧させることができる。但し、遅延時間ｔｄは、光インターフェース部がリンクパスとなった時点からＬＡＮインターフェース部がリンクパスとなる時点までに要する時間ｔOLより長い時間に設定する必要がある。
【００３２】
【発明の効果】
以上に説明したように、請求項１に記載の光伝送システムによれば、エラー信号を受信した側の光伝送装置では、該光伝送装置の光インターフェース部がリンクパスとなった状態を示す情報を、前記エラー信号が相手側の光伝送装置より送信されるのが停止された時点から、前記エラー信号を受信する側の光伝送装置において光インターフェース部がリンクパスとなる時点とＬＡＮインターフェース部がリンクパスとなる時点との時間差より長い時間だけ、遅延させて前記光インターフェース部内のエラー信号を送信する機能部に通知するようにしたので、１本の光ファイを伝送路として用い、該伝送路を介して接続される２つの光伝送装置を有し、一心双方向通信を行う光伝送システムにおいて、上記伝送路または、各光伝送装置に接続されるＬＡＮ機器との間に接続される伝送路に障害が発生した後に障害が取り除かれ、復旧した際に上記２つの光伝送装置間におけるリンク状態を確実に復旧することができる。
【００３３】
請求項２に記載の光伝送システムの光伝送装置によれば、エラー信号を受信した側の光伝送装置では、該光伝送装置の光インターフェース部がリンクパスとなった状態を示す情報を、前記エラー信号が相手側の光伝送装置より送信されるのが停止された時点から、前記エラー信号を受信した側の光伝送装置において光インターフェース部がリンクパスとなる時点とＬＡＮインターフェース部がリンクパスとなる時点との時間差より長い時間だけ、遅延させて前記光インターフェース部内のエラー信号を送信する機能部に通知するようにしたので、１本の光ファイバを伝送路として用い、該伝送路を介して接続される２つの光伝送装置を有し、一心双方向通信を行う光伝送システムの光伝送装置において、上記伝送路または、各光伝送装置に接続されるＬＡＮ機器との間に接続される伝送路に障害が発生した後、障害が取り除かれ、復旧した際に上記２つの光伝送装置間におけるリンク状態を確実に復旧することができる。
【図面の簡単な説明】
【図１】  本発明の実施の形態に係る光伝送システムの構成を示す図。
【図２】  図１における光伝送装置の概略構成を示すブロック図。
【図３】  図１に示す光伝送システムにおいて光ファイバケーブルに障害が発生した場合における各部のリンク状態を示す説明図。
【図４】  図１に示す光伝送システムにおいてメタリックケーブルに障害が発生した場合における各部のリンク状態を示す説明図。
【図５】  図１に示す光伝送システムにおいてメタリックケーブルに発生した障害が復旧した場合において各部の動作状態の一例を示すタイミングチャート。
【図６】  図１に示す光伝送システムにおいてメタリックケーブルに発生した障害が復旧した場合における各部の動作状態の他の例を示すタイミングチャート。
【符号の説明】
１０、１２  光伝送装置
１４  光ファイバケーブル
１６、１８  メタリックケーブル
２０、２２  ブリッジ
１００  ＬＡＮインターフェース部
１１０  光インターフェース部
１２０  制御部
１３０  ＲＪ４５コネクタ
１３２  ＳＣコネクタ
【図１】
0003701525.tif 000002
【図２】
0003701525.tif 000003
【図３】
0003701525.tif 000004
【図４】
0003701525.tif 000005
【図５】
0003701525.tif 000006
【図６】
0003701525.tif 000007